(57)【要約】【課題】上方から表示部を容易に目視できる紙容器を提供する。【解決手段】紙容器１は胴部２を有し、胴部２の一つの稜線８ｂに三角形状の第１部分２１ａと、長方形状の第２部分２１ｂと、三角形状の第３部分２１ｃとを有し、折罫２３により形成された凹部２０が設けられている。凹部２０のうち、少なくとも第２部分２１ｂに、数字、文字、図形、絵柄又はコードからなる表示部２５が設けられている。【選択図】図１
2016078934.tif 000002
【特許請求の範囲】
【請求項１】
頂部と、稜線により区画された４つの側面を有する胴部と、底部とを備えた縦長状紙容器において、
前記胴部の一つの稜線に、三角形状の第１部分と、この第１部分の下方に連接された長方形状の第２部分と、この第２部分の下方に連接された三角形状の第２部分とを有する折罫により形成された凹部が設けられ、
前記凹部の上端と下端は前記稜線の中心線上に配置されるとともに、前記凹部の第２
部分の上下方向の長さは前記胴部の高さの５０％以上となり、
前記凹部の少なくとも前記第２部分に、数字、文字、図形、絵柄又はコードからなり前記側面の表示と独立した情報を含む表示部が設けられていることを特徴とする紙容器。
【請求項２】
頂部と、稜線により区画された４つの側面を有する胴部と、底部とを備えた縦長状紙容器において、
前記胴部の対向する２つの稜線に、三角形状の第１部分と、この第１部分の下方に連接された長方形状の第２部分と、この第２部分の下方に連接された三角形状の第２部分とを有する折罫により形成された凹部が各々設けられ、
各凹部の上端と下端は前記稜線の中心線上に配置されるとともに、前記凹部の第２部分の上下方向の長さは前記胴部の高さの５０％以上となり、
各凹部の少なくとも前記第２部分に、数字、文字、図形、絵柄又はコードからなり前記側面の表示と独立した情報を含む表示部が設けられていることを特徴とする紙容器。
【請求項３】
前記表示部は前記凹部内に収まることを特徴とする請求項１または２記載の紙容器。
【請求項４】
前記表示部は複数の表示要素を含み、この表示要素は縦方向に並ぶことを特徴とする請求項１または２記載の紙容器。
【請求項５】
前記凹部の前記第１部分と前第２部分は第１折罫により区画され、前記第２部分と前記第３部分は第２折罫により区画されて、第１部分および第３部分は傾斜面となり、第２部分は平坦面となることを特徴とする請求項１または２記載の紙容器。
【請求項６】
前記凹部を形成する折罫のうち第１部分と第２部分との間の角部、および第２部分と第３部分との間の角部は、円弧状となっていることを特徴とする請求項１または２記載の紙容器。
【請求項７】
前記凹部は、前記稜線の中心線に対して左右対称となっていることを特徴とする請求項１または２記載の紙容器。
【発明の詳細な説明】
【技術分野】
【０００１】
本発明は、頂部と、胴部と、底部とを有する紙容器に係り、とりわけ外方から容易に表示部を目視することができる紙容器に関する。
【背景技術】
【０００２】
従来より頂部と、稜線により区画された４つの側面を有する胴部と、底部とを有する縦長状紙容器が知られている。この紙容器の稜線には、意匠性を考慮して凹部が形成されることがある。
【０００３】
また紙容器の意匠性を高めるために凹部を設けるとともに、更に購買者の視覚を引き付けることが考えられているが、このような紙容器は未だ開発されていない。
【先行技術文献】
【特許文献】
【０００４】
【特許文献１】特開２０１２−１９７０８２号公報
【特許文献２】特表２０１０−５２７８６６号公報
【特許文献３】特表２０００−５０６８２１号公報
【特許文献４】特表２０１３−５０２３４９号公報
【特許文献５】特許第４９１５０９１号公報
【発明の概要】
【発明が解決しようとする課題】
【０００５】
本発明はこのような点を考慮してなされたものであり、外方から容易に表示部を目視することができる紙容器を提供することを目的とする。
【課題を解決するための手段】
【０００６】
本発明は、頂部と、稜線により区画された４つの側面を有する胴部と、底部とを備えた縦長状紙容器において、前記胴部の一つの稜線に、三角形状の第１部分と、この第１部分の下方に連接された長方形状の第２部分の下方に連接された三角形状の第２部分とを有し、する折罫により形成された凹部が設けられ、前記凹部の上端と下端は前記稜線の中心線上に配置されるとともに、前記凹部の第２部分の上下方向の長さは前記胴部の高さの５０％以上となり、前記凹部の少なくとも前記第２部分に、数字、文字、図形、絵柄又はコードからなり前記側面の表示と独立した情報を含む表示部が設けられていることを特徴とする紙容器である。
【０００７】
本発明は、頂部と、稜線により区画された４つの側面を有する胴部と、底部とを備えた縦長状紙容器において、前記胴部の対向する２つの稜線に、三角形状の第１部分と、この第１の下方に連接された長方形状の第２部分の下方に連接された三角形状の第２部分とを有する折罫により形成された凹部が各々設けられ、各凹部の上端と下端は前記稜線の中心線上に配置されるとともに、前記凹部の第２部分の上下方向の長さは前記胴部の高さの５０％以上となり、各凹部の少なくとも前記第２部分に、数字、文字、図形、絵柄又はコードからなり前記側面の表示と独立した情報を含む表示部が設けられていることを特徴とする紙容器である。
【０００８】
本発明は、前記表示部は前記凹部内に収まることを特徴とする紙容器である。
【０００９】
本発明は、前記表示部は複数の表示要素を含み、この表示要素は縦方向に並ぶことを特徴とする紙容器である。
【００１０】
本発明は、前記凹部の前記第１部分と前第２部分は第１折罫により区画され、前記第２部分と前記第３部分は第２折罫により区画されて、第１部分および第３部分は傾斜面となり、第２部分は平坦面となることを特徴とする紙容器である。
【００１１】
本発明は、前記凹部を形成する折罫のうち第１部分と第２部分との間の角部、および第２部分と第３部分との間の角部は、円弧状となっていることを特徴とする紙容器である。
【００１２】
本発明は、前記凹部は、前記稜線の中心線に対して左右対称となっていることを特徴とする紙容器である。
【発明の効果】
【００１３】
以上のように、本発明によれば容易に外方から紙容器の表示部を目視することができる。
【図面の簡単な説明】
【００１４】
【図１】図１は本発明の第１の実施の形態による紙容器を示す斜視図。
【図２】図２は本発明の第１の実施の形態による紙容器のブランク材を示す平面図。
【図３】図３は本発明の第２の実施の形態による紙容器のブランク材を示す平面図。
【図４】図４は本発明の第３の実施の形態による紙容器のブランク材を示す平面図。
【発明を実施するための形態】
【００１５】
＜第１の実施の形態＞
以下、図面を参照して本発明の実施の形態について説明する。
【００１６】
図１および図２は、本発明による紙容器を示す図である。
【００１７】
図１に示すように、本発明による紙容器はゲーベルトップ型紙容器１となっており、内部に飲料等の液体や紛体や顆粒状の個体等を収納する紙容器からなる。
【００１８】
すなわち、ゲーベルトップ型の紙容器１は、四角筒状の胴部２と、四角板状の底部５と、ゲーベルトップ型の頂部７とを有している。
【００１９】
このうちゲーベルトップ型の頂部７は対向する一対の傾斜板３、３と、傾斜板３、３間に位置するとともに傾斜板３、３間に折込まれる一対の折込部６、６とを有している。そして一対の傾斜板３、３には各々の上端にのりしろ４、４が設けられ、一対の傾斜板３、３の各々の上端に設けられたのりしろ４、４は、後述する一対の折込部パネル１６，１６に設けられたのりしろ１４，１４を介して互いに接着され、このようにして頂部７が密閉される。
【００２０】
また紙容器１の四角筒状の胴部２は、４つの稜線８ａ、８ｂ、８ｃ、８ｄにより区画された４つの側面２ａ、２ｂ、２ｃ、２ｄを有し、４つの稜線８ａ、８ｂ、８ｃ、８ｄのうち一つの稜線、例えば稜線８ｂに凹部形成用の折罫２３により凹部２０が形成されている。折罫２３により形成された凹部２０は、上方に位置する三角形状の第１部分２１ａと、第１部分２１ａの下方に連接された長方形状の第２部分２１ｂと、第２部分２１ｂの下方に連接され第１部分２１ａと逆向きの三角形状をもつ第３部分２１ｃとを有する。
【００２１】
上述のように凹部２０は、六角形状の折罫２３、つまり、三角形状の第１部分２１ａと、長方形状の第２部分２１ｂと、三角形状の第３部分とを有する折罫２３により形成され、この折罫２３は上端２６と、下端２７とを有する。さらにまた、凹部２０を形成する折罫２３のうち、第１部分２１ａと第２部分２１ｂとの間には左側角部２８ａおよび右側角部２９ａが形成され、第２部分２１ｂと第３部分２１ｃとの間には左側角部２８ｂおよび右側角部２９ｂが形成されている。つまり凹部２０は、六角形状をもつ折罫２３により形成され、この折罫２３は上端２６と、左側角部２８ａと、左側角部２８ｂと、下端２７と、左側角部２８ｂと、右側角部２９ａと、上端２６を順に結んだ直線からなっている。また凹部２０の第１部分２１ａと第２部分２１ｂは左側角部２８ａと右側角部２９ａを結ぶ直線状の第１折罫３０ａにより区画され、第２部分２１ｂと第３部分２１ｃは左側角部２８ｂと右側角部２９ｂを結ぶ直線状の第２折罫３０ｂにより区画されている。そして、これら第１折罫３０ａおよび第２折罫３０ｂによって、凹部２０の第１部分２１ａおよび第３部分２１ｃはいずれも傾斜面となり、第２部分は平坦面となっている。
【００２２】
下端２７と、また、折罫２３の上端２６と下端２７は、稜線８ｂの中心線Ｌ上にあり、第２部分２１の上下方向の長さ、すなわち第１折罫３０ａと第２折罫３０ｂとの間の距離は、胴部２の高さに対して少なくとも５０％以上、好ましくは８０％以上となっている。このように第２部分２１ｂの上下方向の長さを胴部２の高さに対して少なくとも５０％以上とすることにより、後述する凹部２０内の表示部２５を外方により明確に現わすことができる。
【００２３】
上述のように凹部２０内は第１折罫３０ａと第２折罫３０ｂとにより、第１部分２１ａと、第２部分２１ｂと、第３部分２１ｃとに区画され、このうち長方形状の第２部分２１ｂには、数字、文字、図形、絵柄又はコードからなる表示部２５が設けられている。コードは、ＪＡＮコードなどの１次元コードやＱＲコード（登録商標）などの２次元コードを含むバーコードであってもよく、カラーマトリックスであってもよい。この表示部２５は、胴部２の側面、例えば側面２ａ上に設けられた表示３５と独立した異なる情報を含む複数の表示要素２５ａ、例えば「Ａ」「Ｂ」「Ｃ」を有する。情報は、紙容器に収納される製品に関係する情報であってもよいし、紙容器に収納される製品に関係しない情報であってもよい。例えば、情報としては、紙容器に収納される製品、製品を製造するメーカー、キャンペーンなどが挙げられる。また表示部２５の各表示要素２５ａは凹部２０の第２部分２１ｂ内に収まっており、表示要素２５ａが凹部２０の第２部分２１ｂから外方へ食み出すことはない。
【００２４】
また一方の傾斜板３には注出口１０ａと、この注出口１０ａを密封する蓋体１０が設けられている。
【００２５】
このようなゲーベルトップ型の紙容器１において、注出口１０ａから蓋体１０を外した後、注出口１０ａを介して紙容器１内から飲料等の内容物を取出すことができる。
【００２６】
ところでゲーベルトップ型の紙容器１は、図２に示すようなブランク材１１を準備し、このブランク材１１を胴部２の稜線８ａ、８ｂ、８ｃ、８ｄおよび後述する折罫１９に沿って組立てることにより作製される。
【００２７】
ブランク材１１は、所望の層構成をもつ包装材料を打抜くことにより得られる。このブランク材１１は、胴部２の各側面２ａ、２ｂ、２ｃ、２ｄに対応する側面パネル１２ａ、１２ｂ、１２ｃ、１２ｄと、底部５に対応する底部パネル１５と、一対の傾斜板３、３に対応する傾斜板パネル１３、１３と、一対の傾斜板３、３間に折込まれる一対の折込部６、６に対応する折込部パネル１６、１６とを有している。
【００２８】
また図２に示すブランク材１１において、各傾斜板パネル１３、１３および各折込部パネル１６、１６に、各々のりしろ４、４およびのりしろ１４，１４が設けられている。さらに側面パネル１２ｃに、のりしろ９が取付けられている。また側面パネル１２ａ、１２ｂ、１２ｃ、１２ｄ間には稜線８ａ、８ｂ、８ｃ、８ｄが形成され、またブランク材１１には折畳み用の水平方向折罫１９が設けられている。
【００２９】
また、図２に示すように、ブランク材１１の側面パネル１２ａと側面パネル１２ｂとの間の稜線８ｂには、凹部２０を形成するための折罫２３が形成され、折罫２３により形成された凹部２０のうち第１折罫３０ａと第２折罫３０ｂにより区画された長方形状の第２部分２１ｂに、縦長方向に延びる表示部２５が設けられている。そして表示部２５の表示要素２５ａは縦長方向に延びるとともに、凹部２０の第２部分２１ｂから食み出すことなく第２部分２１ｂ内に収まっている。
【００３０】
さらに折罫２３の上端２６および下端２７は、稜線８ｂの上端および下端に一致している。さらにまた、折罫２３により形成される凹部２０は、稜線８ｂの中心線Ｌに対して左右対称となっている。
【００３１】
以上のように、本実施の形態によれば、胴部２の側面２ａと側面２ｂとの間の稜線８ｂに沿って六角形状の折罫２３、つまり、三角形状の第１部分２１ａと、長方形状の第２部分２１ｂと、三角形状の第２部分２１ｃとを有する折罫２３により凹部２０が形成され、凹部２０のうち第１折罫３０ａと第２折罫３０ｂとにより区画された第２部分２１ｂに、縦長方向に並ぶ複数の表示要素２５ａを含む表示部２５が設けられている。折罫２３により形成された凹部２０の長方形状の第２部分２１ｂは、平坦面となっており、この第２部分２１ｂに表示部２５が設けられているため、紙容器１を購入する購買者はこの表示部２５を容易に確認することができる。また第２部分２１ｂに設けられた表示部２５は、胴部２の側面２ａ上に設けられた表示３５と独立した異なる情報を含むため、第２部分２１ｂの表示部２５により独自の情報を購買者に示して購買者の注意を引き付けることができる。さらに、第１折罫３０ａと第２折罫３０ｂを設けない場合に比べて、第２部分２１ｂの面積を大きくすることができるため、第２部分２１ｂにより多くの情報を表示することができる。
【００３２】
＜第２の実施の形態＞
次に本発明の第２の実施の形態について、図３により説明する。
【００３３】
図３に示す第２の実施の形態は、胴部２の側面２ａと側面２ｂとの間の稜線８ｂ、およびこの稜線８ｂに対向する側面２ｃと側面２ｄとの間の稜線８ｄに凹部２０を設けたものであり、他の構成は図１および図２に示す第１の実施の形態と略同一である。
【００３４】
図３に示す第２の実施の形態において、図１および図２に示す第１の実施の形態と同一部分には同一符号を付して詳細な説明は省略する。
【００３５】
ゲーベルトップ型の紙容器１は、図３に示すようなブランク材１１を準備し、このブランク材１１を胴部２の稜線８ａ、８ｂ、８ｃ、８ｄおよび後述する水平方向折罫１９に沿って組立てることにより作製される。
【００３６】
ブランク材１１は、所望の層構成をもつ包装材料を打抜くことにより得られる。このブランク材１１は、胴部２の各側面２ａ、２ｂ、２ｃ、２ｄに対応する側面パネル１２ａ、１２ｂ、１２ｃ、１２ｄと、底部５に対応する底部パネル１５と、一対の傾斜板３、３に対応する傾斜板パネル１３、１３と、一対の傾斜板３、３間に折込まれる一対の折込部６、６に対応する折込部パネル１６、１６とを有している。
【００３７】
また図３に示すブランク材１１において、各傾斜板パネル１３、１３および各折込部パネル１６、１６に、各々のりしろ４、４およびのりしろ１４，１４が設けられている。さらに側面パネル１２ｃに、のりしろ９が取付けられている。また側面パネル１２ａ、１２ｂ、１２ｃ、１２ｄ間には稜線８ａ、８ｂ、８ｃ、８ｄが形成され、またブランク材１１には折畳み用の水平方向折罫１９が設けられている。
【００３８】
また、図３に示すように、ブランク材１１の側面パネル１２ａと側面パネル１２ｂとの間の稜線８ｂおよびこの稜線８ｂに対向する側面パネル１２ｃと側面パネル１２ｄとの間の稜線８ｄには、凹部２０を形成するための折罫２３が各々形成されている。また各折罫２３により形成された凹部２０のうち、第１折罫３０ａと第２折罫３０ｂにより区画された長方形状の第２部分２１ｂに縦長方向に延びる表示部２５が設けられている。そして表示部２５の表示要素２５ａは縦長方向に延びるとともに、凹部２０の第２部分２１ｂから食み出すことなく第２部分２１ｂ内に収まっている。
【００３９】
さらに各々の折罫２３の上端２６および下端２７は、稜線８ｂおよび稜線８ｄの上端および下端に一致している。さらにまた折罫２３により形成される凹部２０は、稜線８ｂおよび稜線８ｄの中心線Ｌに対して左右対称となっている。
【００４０】
以上のように、本実施の形態によれば、胴部２の側面２ａと側面２ｂとの間の稜線８ｂおよび側面２ｃと側面２ｄとの間の稜線８ｄに沿って六角形状の折罫２３、つまり、三角形状の第１部分２１ａと、長方形状の第２部分２１ｂと、三角形状の第３部分２１ｃとを有する折罫２３により凹部２０が各々形成され、各凹部２０のうち第１折罫３０ａと第２折罫３０ｂとにより区画された第２部分２１ｂに、縦長方向に並ぶ複数の表示要素２５ａを含む表示部２５が設けられている。各々の折罫２３により形成された凹部２０の第２部分２１ｂは、平坦面となっており、この第２部分２１ｂに表示部２５が設けられているため、紙容器１を購入する購買者はこの表示部２５を容易に確認することができる。また第２部分２１ｂに設けられた表示部２５は、胴部２の側面２ａ上に設けられた表示３５と独立した異なる情報を含むため、第２部分２１ｂの表示部２５により独自の情報を購買者に示して購買者の注意を引き付けることができる。さらに、第１折罫３０ａと第２折罫３０ｂを設けない場合に比べて、第２部分２１ｂの面積を大きくすることができるため、第２部分２１ｂにより多くの情報を表示することができる。
【００４１】
さらにまた胴部２の互いに対向する２つの稜線８ｂ、８ｄに沿って折罫２３により２つの凹部２０が形成されている。一般に店頭には互いに隣接した複数の紙容器１が並べられて配置されるため、紙容器１の配置方向によらず少なくとも一方の凹部２０が購買者側を向くことになり、凹部２０に設けられた表示部２５を確実に購買者に示すことができる。
【００４２】
＜第３の実施の形態＞
次に本発明の第３の実施の形態について、図５により説明する。
【００４３】
図４に示す第３の実施の形態は、凹部２０を形成する折罫２３のうち第１部分２１ａと第２部分２１ｂとの間の左側角部２８ａおよび右側角部２９ａと、第２部分２１ｂと第３部分２１ｃとの間の左側角部２８ｂおよび右側角部２９ｂは、いずれも外側に向かって凸の円弧状となっている。他の構成は図１および図２に示す第１の実施の形態と略同一である。
【００４４】
図４に示す第３の実施の形態において、図１および図２に示す第１の実施の形態と同一部分には同一符号を付して詳細な説明は省略する。
【００４５】
ゲーベルトップ型の紙容器１は、図５に示すようなブランク材１１を準備し、このブランク材１１を胴部２の稜線８ａ、８ｂ、８ｃ、８ｄおよび後述する水平方向折罫１９に沿って組立てることにより作製される。
【００４６】
ブランク材１１は、所望の層構成をもつ包装材料を打抜くことにより得られる。このブランク材１１は、胴部２の各側面２ａ、２ｂ、２ｃ、２ｄに対応する側面パネル１２ａ、１２ｂ、１２ｃ、１２ｄと、底部５に対応する底部パネル１５と、一対の傾斜板３、３に対応する傾斜板パネル１３、１３と、一対の傾斜板３、３間に折込まれる一対の折込部６、６に対応する折込部パネル１６、１６とを有している。
【００４７】
また図４に示すブランク材１１において、各傾斜板パネル１３、１３および各折込部パネル１６、１６に、各々のりしろ４、４およびのりしろ１４，１４が設けられている。さらに側面パネル１２ｃに、のりしろ９が取付けられている。また側面パネル１２ａ、１２ｂ、１２ｃ、１２ｄ間には稜線８ａ、８ｂ、８ｃ、８ｄが形成され、またブランク材１１には折畳み用の水平方向折罫１９が設けられている。
【００４８】
また、図４に示すように、ブランク材１１の側面パネル１２ａと側面パネル１２ｂとの間の稜線８ｂには、凹部２０を形成するための折罫２３が形成され、折罫２３により形成された凹部２０のうち、第１折罫３０ａと第２折罫３０ｂにより区画された長方形状の第２部分２１ｂに縦長方向に延びる表示部２５が設けられている。そして表示部２５の表示要素２５ａは縦長方向に延びるとともに、凹部２０の第２部分２１ｂから食み出すことなく第２部分２１ｂ内に収まっている。
【００４９】
さらに折罫２３の上端２６および下端２７は、稜線８ｂの上端および下端に一致している。さらにまた折罫２３により形成される凹部２０は稜線８ｂの中心線Ｌに対して左右対称となっている。
【００５０】
また凹部２０を形成する六角形状の折罫２３のうち左側角部２８ａ近傍および右側近傍角部２９ａと、左側角部２８ｂ近傍および右側角部２９ｂ近傍は、外側に向かって凸の円弧状となっている。このため、紙容器１を組立てる際、凹部２０をスムースに成形することができる。
【００５１】
以上のように、本実施の形態によれば、胴部２の側面２ａと側面２ｂとの間の稜線８ｂに沿って六角形状の折罫２３、つまり、三角形状の第１部分２１ａと、長方形状の第２部分２１ｂと、三角形状の第３部分２１ｃとを有する折罫２３により凹部２０が形成され、凹部２０のうち第１折罫３０ａと第２折罫３０ｂとにより区画された第２部分２１ｂに、縦長方向に並ぶ複数の表示要素２５ａを含む表示部２５が設けられている。折罫２３により形成された凹部２０の第２部分２１ｂは、平坦面となっており、この第２部分２１ｂに表示部２５が設けられているため、紙容器１を購入する購買者はこの表示部２５を容易に確認することができる。また第２部分２１ｂに設けられた表示部２５は、胴部２の側面２ａ上に設けられた表示３５と独立した異なる情報を含むため、第２部分２１ｂの表示部２５により独自の情報を購買者に示して購買者の注意を引き付けることができる。さらに、第１折罫３０ａと第２折罫３０ｂを設けない場合に比べて、第２部分２１ｂの面積を大きくすることができるため、第２部分２１ｂにより多くの情報を表示することができる。
【００５２】
また紙容器１を組立てる際、凹部２０をスムースに成形することができる。
【００５３】
＜他の変形例＞
なお、上記各実施の形態において、表示部２５が凹部２０の第２部分２１ｂ内に収まる例を示したが、表示部２５が凹部２０から食み出さない限り、表示部２５は第２部分２１ｂから第１部分２１ａ側あるいは第３部分２１ｃ側へ延びていてもよい。また、上記各実施の形態において、折罫２３の上端２６が胴部２の上端に位置し、折罫２３の下端２７が胴部２の下端に位置する例を示したが、第２部分２１ｂの上下方向の長さが胴部２の高さに対して５０％以上である限り、折罫２３の上端２６は胴部の上端に位置していなくてもよいし、折罫２３の下端２７は胴部の下端に位置していなくてもよい。
【符号の説明】
【００５４】
１  紙容器
２  胴部
２ａ、２ｂ、２ｃ、２ｄ  側面
３  傾斜板
４  のりしろ
５  底部
６  折込部
７  頂部
８ａ、８ｂ、８ｃ、８ｄ  稜線
９  のりしろ
１０  蓋体
１０ａ  注出口
１１  ブランク材
１２ａ、１２ｂ、１２ｃ、１２ｄ  側面パネル
１３  傾斜板パネル
１４  のりしろ
１５  底部パネル
１６  折込部パネル
１９  水平方向折罫
２０  凹部
２１ａ  第１部分
２１ｂ  第２部分
２１ｃ  第３部分
２３  凹部用の折罫
２５  表示部
２５ａ  表示要素
２６  上端
２７  下端
２８ａ  左側角部
２８ｂ  左側角部
２９ａ  右側角部
２９ｂ  右側角部
３０ａ  第１折罫
３１ｂ  第２折罫
Ｌ  中心線
【図１】
2016078934.tif 000003
【図２】
2016078934.tif 000004
【図３】
2016078934.tif 000005
【図４】
2016078934.tif 000006